(57)【要約】      （修正有）【課題】収納室と居室との間で物品を移動させやすく、物品を使い勝手良く収納することが可能な建物を提供する。【解決手段】床の一部の上方に、この床より０．９〜１．４ｍ高い中間床が設けられており、この床と中間床との間の空間が収納空間１２となっている建物において、建物の一辺に沿って寝室４と当該寝室４に隣接する部屋３が配置され、寝室４および部屋３が沿う辺と対向する建物の他辺に沿って、部屋３と隣接する収納空間１２と、寝室４と隣接するトイレ５等の水廻り室が配置されており、収納空間１２と水廻り室との間には、床と中間床とを接続する階段２１が設けられており、階段２１の上り口付近には、寝室４の出入口と水廻り室の出入口に通ずる廊下が配置されており、収納空間１２の出入口１７は、部屋３に向かって設けられている。【選択図】図４
2014001626.tif 000002
【特許請求の範囲】
【請求項１】
床の一部の上方に、この床より０．９〜１．４ｍ高い中間床が設けられており、この床と中間床との間の空間が収納空間となっている建物において、
建物の一辺に沿って寝室と当該寝室に隣接する部屋が配置され、
前記寝室および前記部屋が沿う辺と対向する建物の他辺に沿って、前記部屋と隣接する前記収納空間と、前記寝室と隣接するトイレ等の水廻り室が配置されており、
前記収納空間と前記水廻り室との間には、前記床と前記中間床とを接続する階段が設けられており、
前記階段の上り口付近には、前記寝室の出入口と前記水廻り室の出入口に通ずる廊下が配置されており、
前記収納空間の出入口は、前記部屋に向かって設けられていることを特徴とする建物。
【請求項２】
請求項１に記載の建物において、
前記寝室と前記部屋との間に出入口が設けられており、
当該出入口は、前記部屋を挟んで前記階段と対向する位置に配置されていることを特徴とする建物。
【請求項３】
請求項１または２に記載の建物において、
前記収納空間に隣接して玄関が配置されていることを特徴とする建物。
【請求項４】
請求項１〜３のいずれか一項に記載の建物において、
前記部屋には、当該部屋のうち前記寝室とは反対側の位置にキッチン用の流し台が設置されていることを特徴とする建物。
【発明の詳細な説明】
【技術分野】
【０００１】
本発明は、住宅等の建物に関する。
【背景技術】
【０００２】
床の一部の上方に中間床が設けられ、この中間床と床との間が収納室とされた建物の一例として特許文献１に記載のものが知られている。この建物は、１階床の一部の上方に中間床が設けられ、この中間床の下方が天井高が０．９〜１．４ｍの収納空間となっており、前記中間床の上方が、天井が２階床より高い中間部屋となっている。
また、１階床上の部屋は、中間部屋の天井まで吹き抜ける吹抜け空間を有しており、この吹抜け空間に面する、前記中間床の端部には手摺壁が設けられている。
【先行技術文献】
【特許文献】
【０００３】
【特許文献１】特開２００６−４５８８２号公報
【発明の概要】
【発明が解決しようとする課題】
【０００４】
ところで、特許文献１に記載の建物において、収納室と隣接する居室（食堂）との間には仕切壁が設けられて仕切られている。そのため、収納室と居室との間で物品を直接移動できず、物品を収納することが困難であった。
【０００５】
本発明は上記事情に鑑みてなされたもので、収納室と居室との間で物品を移動させやすく、物品を使い勝手良く収納することが可能な建物を提供することを課題としている。
【課題を解決するための手段】
【０００６】
上記課題を解決するために、請求項１に記載の発明は、例えば図４に示すように、床１０の一部の上方に、この床１０より０．９〜１．４ｍ高い中間床１１が設けられており、この床１０と中間床１１との間の空間が収納空間１２となっている建物において、
建物の一辺に沿って寝室４と当該寝室４に隣接する部屋３が配置され、
前記寝室４および前記部屋３が沿う辺と対向する建物の他辺に沿って、前記部屋３と隣接する前記収納空間１２と、前記寝室４と隣接するトイレ５等の水廻り室が配置されており、
前記収納空間１２と前記水廻り室との間には、前記床１０と前記中間床１１とを接続する階段２１が設けられており、
前記階段２１の上り口付近には、前記寝室４の出入口と前記水廻り室の出入口に通ずる廊下が配置されており、
前記収納空間１２の出入口１７は、前記部屋３に向かって設けられていることを特徴とする。
【０００７】
請求項１に記載の発明によれば、収納空間１２の出入口１７が部屋に向かって設けられているので、部屋３と収納空間１２との間で物品を移動させやすい。すなわち、物品の出し入れがしやすいので、物品を使い勝手良く収納空間１２に収納することができる。
しかも、部屋３に対して寝室４が隣接し、かつ当該寝室に隣接する水廻り室が廊下を介して部屋３に通じているので、寝室４および水廻り室から収納空間１２に対する物品の収納も容易に行うことができる。
また、寝室４に隣接してトイレ５等の水廻り室が配置されているので、夜間等において使い勝手が良い。
【０００８】
請求項２に記載の発明は、例えば図４に示すように、請求項１に記載の建物において、
前記寝室４と前記部屋３との間に出入口が設けられており、
当該出入口は、前記部屋３を挟んで前記階段２１と対向する位置に配置されていることを特徴とする。
【０００９】
請求項２に記載の発明によれば、寝室４と部屋３との間に設けられた出入口が、部屋３を挟んで階段２１と対向する位置に配置されているので、部屋３を中心とした物品を収納するための動線を確保することができる。すなわち、部屋３からは、寝室４にも収納空間１２にも行き来しやすく、物品を移動させやすい。
【００１０】
請求項３に記載の発明は、例えば図４に示すように、請求項１または２に記載の建物において、
前記収納空間１２に隣接して玄関１が配置されていることを特徴とする。
【００１１】
請求項３に記載の発明によれば、収納空間１２に隣接して玄関１が配置されているので、玄関を介して物品を屋外と屋内との間で容易に移動させることができる。
【００１２】
請求項４に記載の発明は、例えば図４に示すように、請求項１〜３のいずれか一項に記載の建物において、
前記部屋３には、当該部屋３のうち前記寝室４とは反対側の位置にキッチン用の流し台が設置されていることを特徴とする。
【００１３】
請求項４に記載の発明によれば、部屋３には、当該部屋３のうち寝室４とは反対側の位置にキッチン用の流し台が設置されているので、部屋３を中心とした物品を収納するための動線を確保することができる。すなわち、部屋３と、他の部屋や収納空間１２との間で物品を移動させやすいだけでなく、部屋３内であってもキッチンに物品を移動させやすくなる。
また、キッチンの流し台で発生する音が寝室に伝わりにくくなるので、キッチンの流し台が寝室側に設置される場合に比して、寝室における静寂性を向上できる。
【発明の効果】
【００１４】
本発明によれば、収納室と居室との間で物品を移動させやすく、物品を使い勝手良く収納することが可能となる。
【図面の簡単な説明】
【００１５】
【図１】本発明に係る建物に設けられた収納構造の一例を示すもので、その正面図である。
【図２】同、側面図である。
【図３】同、第１柱状部材の平断面図である。
【図４】本発明に係る建物の平面図である。
【図５】本発明に係る建物に設けられた収納構造の他の例を示すもので、その側面図である。
【図６】図５に示す収納構造の変形例を示す側面図である。
【発明を実施するための形態】
【００１６】
以下図面を参照して本発明の実施の形態について説明する。
（第１の実施の形態）
まず、本発明に係る収納構造を説明する前に、該収納構造を備えた建物について簡単に説明する。
図４は建物の１階の平面図である。この建物は平屋建物であり、北西の角部には玄関１が設けられている。玄関１の南側にはキッチン２が設けられており、このキッチン２の東側にはリビングダイニング３がキッチン２と連続して設けられている。リビングダイニング３の東側には寝室４が設けられており、寝室４の北側にはトイレ５が設けられている。トイレ５の北側には洗面室６と浴室７とが東西に隣接して設けられている。
【００１７】
また、１階の南側には、図２に示すように、１階の床１０の一部の上方に中間床１１が設けられている。この中間床１１は床１０より０．９〜１．４ｍ程度高くなっており、この中間床１１と床１０との間の空間は収納空間１２となっている。収納空間１２は、図４に示すように、リビングダイニング３に面する内壁１３と、この内壁１３の両端部に該内壁１３と直角に配置された互いに平行な内壁１４，１５と、この内壁１４，１５が直角に交わる外壁１６とによって囲まれている。
内壁１３には、図１および図４に示すように、矩形状の出入口１７が形成されており、この出入口１７から収納空間１２に出入りできるようになっている。また、内壁１３の裏側には、収納家具１８，１８が内壁１３に沿って左右に移動可能に設けられており、この収納家具１８，１８によって出入口１７を開閉するようになっている。なお、この収納家具１８の前面側に収納部が設けられおり、リビングダイニング３側から物を収納できるようになっている。
【００１８】
中間床１１上には、図２に示すように、中間部屋２０が設けられており、この中間部屋２０の上方と、リビングダイニング３の上方とは連通している。
また、図１に示すように、中間床１１の一部を構成する踊り場２１ａと１階の床１０との間には階段２１が設けられている。そして、この踊り場２１ａから中間部屋２０に出入りできるようになっている。
【００１９】
次に本発明に係る収納構造について説明する。
図１、図２および図４に示すように、中間床１１の前方には、４本の第１柱状部材３１と１本の第１補助柱状部材３１ａとが中間床１１の縁部と平行にかつ中間床１１の縁部から所定距離離間して所定間隔で設けられている。第１補助柱状部材３１ａは、柱状部材が合計で５本配置されてなる柱状部材列の中央部に位置しており、その両側に第１柱状部材３１が２本ずつ配置されている。
第１柱状部材３１の上端部と下端部とは天井２２と床１０とに着脱可能に固定されている。
第１補助柱状部材３１ａの上端部は天井２２に着脱可能に固定されており、下端部は水平架材３２の中央部に着脱可能に固定されている。この水平架材３２は前記出入口１７より上方に配置されており、その左右両端部は隣り合う第１柱状部材３１，３１に固定されている。
【００２０】
前記第１柱状部材３１および第１補助柱状部材３１ａの後方には、４本の第２柱状部材３３と１本の第２補助柱状部材３３ａとが中間床１１の縁部と平行にかつ該中間床１１の縁部に当接して所定間隔で設けられている。
第２補助柱状部材３３ａは、柱状部材が合計で５本配置されてなる柱状部材列の中央部に位置しており、その両側に第２柱状部材３３が２本ずつ配置されている。
第２柱状部材３３の上端部と下端部とは天井２２と床１０とに着脱可能に固定されている。
第２補助柱状部材３３ａの上端部は天井２２に着脱可能に固定されており、下端部は水平架材３２の中央部に着脱可能に固定されている。この水平架材３２は前記出入口１７より上方に配置されており、その左右両端部は隣り合う第３柱状部材３３，３３に固定されている。
【００２１】
前記第１柱状部材３１は、図３に示すように、金属で形成された四角筒状のものであり、その両側壁には長手方向に延在するスリット３４が形成されている。第１柱状部材３１内には、挟持板３５，３５が第１柱状部材３１の内側面に沿って上下（図３においては紙面と直交する方向）にスライド可能に設けられており、該挟持板３５にはねじ穴３５ａが形成されている。
一方、前記スリット３４には、支持部材３６が上下（図３においては紙面と直交する方向）にスライド可能に挿入されている。支持部材３６は頭部３６ａと、この頭部３６ａに突出形成された雄ねじ部３６ｂとから構成されており、雄ねじ部３６ｂが前記スリット３４に挿入されたうえで、前記挟持板３５のねじ穴３５ａに螺合されている。
【００２２】
そして、支持部材３６は、その頭部３６ａを指等で掴んで回して、雄ねじ部３６ｂを挟持板３５のねじ穴３５ａにねじ込むことによって、挟持板３５と頭部３６ａとで第１柱状部材３１の側壁を挟み付け、これによって、第１柱状部材３１の高さ方向の所望の位置に固定されるようになっている。
このような支持部材３６と挟持板３５とは一対となって、複数組が第１柱状部材３１内に設けられている。
【００２３】
第１補助柱状部材３１ａ、第２柱状部材３３、第２補助柱状部材３３ａは、前記第１柱状部材３１と同様の断面形状に形成されており、これらには、スリット３４が同様に形成され、支持部材３６と挟持板３５とが同様にして設けられている。
また、左右両側に位置する第１柱状部材３１，３１と第２柱状部材３３，３３とには、一方の側壁にのみスリット３４が形成されている。
【００２４】
図２に示すように、前後に隣り合う第１柱状部材３１と第２柱状部材３３との間には、棚板３８が配置されており、棚板３８の前端部と後端部とがそれぞれ前記第１柱状部材３１、第２柱状部材３３、第１補助柱状部材３１ａ、第２補助柱状部材３３ａ等によって支持されている。
すなわち、棚板３８は長方形板状のものであり、その前後の長さは前後に隣り合う第１柱状部材３１と第２柱状部材３３との間の距離とほぼ等しくなっている。なお、前後に隣り合う第１補助柱状部材３１ａと第２補助柱状部材３３ａとの間の距離は、前後に隣り合う第１柱状部材３１と第２柱状部材３３との間の距離と等しくなっているので、棚板３８の前後の長さは前後に隣り合う第１補助柱状部材３１ａと第２補助柱状部材３３ａとの間の距離ともほぼ等しくなっている
また、棚板３８の左右の長さは左右に隣り合う第１柱状部材３１，３１間の距離および左右に隣り合う第２柱状部材３３，３３間の距離とほぼ等しくなっているものと、左右に隣り合う第１柱状部材３１と第１補助柱状部材３１ａとの間および左右に隣り合う第２柱状部材３３と第２補助柱状部材３３ａとの間の距離とほぼ等しくなっているものとがある。
【００２５】
そして、前後に隣り合う第１柱状部材３１と第２柱状部材３３との間に配置された棚板３８は、左右に隣り合う第１柱状部材３１，３１間および左右に隣り合う第２柱状部材３３，３３間に配置されている。さらに、前後に隣り合う第１補助柱状部材３１ａと第２補助柱状部材３３ａとの間に配置された棚板３８は、左右に隣り合う第１柱状部材３１と第１補助柱状部材３１ａとの間および左右に隣り合う第２柱状部材３３と第２補助柱状部材３３ａとの間に配置されている。
つまり、棚板３８は、前後左右に合計４本配置された第１柱状部材３１，３１と第２柱状部材３３，３３とによって囲まれた部分、および、前後左右合計４本配置された第１柱状部材３１、第１補助柱状部材３１ａ、第２柱状部材３３、第２補助柱状部材３３ａによって囲まれた部分に配置されている。
【００２６】
そして、棚板３８は第１柱状部材３１、第２柱状部材３３、第１補助柱状部材３１ａ、第２補助柱状部材３３ａにそれぞれ取り付けられた前記支持部材３６によって、四隅部が下方から支持されている。
つまり、第１柱状部材３１、第２柱状部材３３、第１補助柱状部材３１ａ、第２補助柱状部材３３ａのそれぞれに、所望の高さ位置に支持部材３６を取り付けるとともに、一つの棚板３８を支持する４つの支持部材３６を等しい高さ位置に取り付けておき、これら４つの支持部材３６によって棚板３８の四隅部がその下方から支持されている。
また、棚板３８は上下の位置を調整可能な支持部材３６によって下方から支持されているので、支持部材３６の上下の位置を調整することによって、棚板３８は上下の位置を調整可能となるようにして、第１柱状部材３１、第２柱状部材３３、第１補助柱状部材３１ａ、第２補助柱状部材３３ａによって支持されている。
さらに、第１補助柱状部材３１ａと第２補助柱状部材３３ａとは、その下端部が前記出入口１７の上端より上方に配置されている水平架材３２に固定されており、第１補助柱状部材３１ａと第２補助柱状部材３３ａとにそれぞれ左右に隣り合う第１柱状部材３１と第２柱状部材３３とが出入口１７の左右端部より外側に配置されているので、第１柱状部材３１、前記第２柱状部材３３、棚板３８は、出入口１７の前方に配置されていない。つまり、第１柱状部材３１、前記第２柱状部材３３、棚板３８は、出入口１７の前方を避けて配置されている。
【００２７】
本実施の形態によれば、中間床１１の前方に設けられた第１柱状部材３１、第１補助柱状部材３１ａと、該第１柱状部材３１、第１補助柱状部材３１ａの後方において、中間床１１の縁部に当接して設けられた第２柱状部材３３、第２補助柱状部材３３ａとの間に棚板３８が配置され、該棚板３８の前端部と後端部とがそれぞれ前記第１柱状部材３１、第２補助柱状部材３１ａと第２柱状部材３３、第２補助柱状部材３３ａとによって支持されているので、第１柱状部材３１、第１補助柱状部材３１ａと、第２柱状部材３３、第２補助柱状部材３３ａとの下部位置で支持されている棚板３８には、床１０上の部屋３から物を出し入れでき、第１柱状部材３１、第１補助柱状部材３１ａと、第２柱状部材３３、第２補助柱状部材３３ａとの上部位置で支持されている棚板３８には、中間床１１上の部屋２０から物を出し入れできる。つまり、床１０上の部屋３と中間部屋２０の双方から利用できる収納構造となる。
また、第２柱状部材３３、第２補助柱状部材３３ａが中間床１１の縁部と平行にかつ該中間床１１の縁部に当接して複数所定間隔で設けられているので、この第２柱状部材３３、第２補助柱状部材３３ａが手摺の代わりとなる。
【００２８】
さらに、第１柱状部材３１、第１補助柱状部材３１ａ、第２柱状部材３３、第２補助柱状部材３３ａ、棚板３８が、中間床１１下の収納空間１２への出入口１７の前方を避けて配置されているので、これら第１柱状部材３１、第１補助柱状部材３１ａ、第２柱状部材３３、第２補助柱状部材３３ａ、棚板３８に干渉することなく、床１０上の部屋３から出入口１７を通って収納空間１２に出入りできる。
また、棚板３８は、支持部材３６によって、上下の位置を調整可能となるように第１柱状部材３１、第１補助柱状部材３１ａ、第２柱状部材３３、第２補助柱状部材３３ａによって支持されているので、収納物の種類や大きさに応じて、棚板３８の上下の位置を調整することができ、よって、収納としての使い勝手がよくなる。
【００２９】
なお、本実施の形態では、第１補助柱状部材３１ａおよび第２補助柱状部材３３ａを配置したが、これらは配置せずに、中央側２本の隣り合う第１柱状部材３１，３１間および第２柱状部材３３，３３間に、棚板３８より左右の長さが長い棚板を設けてもよい。
さらに、第１補助柱状部材３１ａおよび第２補助柱状部材３３ａに代えて、下端部が床１０に固定された第１柱状部材３１および第２柱状部材３３を設けてもよい。
【００３０】
（第２の実施の形態）
図５は本発明に係る収納構造の他の例を示す側面図である。この図に示す収納構造が前記第１の実施の形態の収納構造と主に異なる点は、第２柱状部材の構成であるので、以下ではこの点について説明し、第１の実施の形態と共通部分には同一符号を付してその説明を簡略化ないし省略する。
【００３１】
中間床１１の前方には、図１に示すものと同様にして、４本の第１柱状部材３１と１本の第１補助柱状部材３１ａとが中間床１１の縁部と平行にかつ中間床１１の縁部から所定距離離間して所定間隔で設けられている。第１柱状部材３１の上端部と下端部とは天井２２と床１０とに着脱可能に固定されている。
第１補助柱状部材３１ａの上端部は天井２２に着脱可能に固定されており、下端部は水平架材３２の中央部に着脱可能に固定されている。
【００３２】
前記第１柱状部材３１および第１補助柱状部材３１ａの後方には、５本の第２柱状部材４０が中間床１１の縁部と平行に所定間隔で設けられている。これら第２柱状部材４０の上端部と下端部とは天井２２と中間床１１とに着脱可能に固定されている。また、第２柱状部材４０の下端部は中間床１１の上面縁部に、前記内壁１３の前面とほぼ面一になるようにして固定されている。
前後に隣り合う第１柱状部材３１、第１補助柱状部材３１ａと、第２柱状部材４０との間には、棚板３８が配置されており、棚板３８の前端部と後端部とは、それぞれ前記第１柱状部材３１、第１補助柱状部材３１ａ、第２柱状部材４０等によって、前記支持部材３６を介して支持されている。
つまり、棚板３８は、前後左右に合計４本配置された第１柱状部材３１，３１と第２柱状部材４０，４０とによって囲まれた部分、および、前後左右に合計４本配置された第１柱状部材３１、第１補助柱状部材３１ａ、第２柱状部材４０，４０によって囲まれた部分に配置されたうえで、これら第１柱状部材３１、第１補助柱状部材３１ａ、第２柱状部材４０にそれぞれ取り付けられた支持部材３６によって支持されている。
【００３３】
また、第１柱状部材３１と、前記収納空間１２と床１０上の部屋３とを仕切る内壁１３との間には、棚板４１が配置されており、この棚板４１の前端部と後端部とがそれぞれ第１柱状部材３１と内壁１３とによって支持されている。すなわち、第１柱状部材３１の下端部には前記支持部材３６が取り付けられており、内壁１３の前面には、支持部材３６と対向して支持部材４２が取り付けられており、これら支持部材３６，４２によって棚板４１の四隅部が下方から支持されている。なお、支持部材４２は内壁１３の高さ方向の所望の位置に固定されるようになっている。
【００３４】
本実施の形態によれば、第１の実施の形態と同様の効果を得られる他、第２柱状部材４０の下端部が中間床１１の上面縁部に固定されているので、前記第２柱状部材３３より短くでき、また、前記水平架材３２が不要であるという利点がある。
【００３５】
なお、本実施の形態では、第２柱状部材４０の下端部を、中間床１１の上面縁部に、内壁１３の前面とほぼ面一になるようにして固定したが、これに代えて、図６に示すように、第２柱状部材４０の下端部を、中間床１１の上面縁部から所定距離だけ内側の位置に固定してもよい。
このようにすれば、第１柱状部材３１と第２柱状部材４０との間の距離を大きくとることができるので、部屋３を狭くすることなく、棚板４１の奥行きを大きくとれるという利点がある。
【符号の説明】
【００３６】
３  リビングダイニング（床上の部屋）
１０  床
１１  中間床
１２  収納空間
１３  内壁
１７  出入口
２２  天井
３１  第１柱状部材
３３，４０  第２柱状部材
３８，４１  棚板
【図１】
2014001626.tif 000003
【図２】
2014001626.tif 000004
【図３】
2014001626.tif 000005
【図４】
2014001626.tif 000006
【図５】
2014001626.tif 000007
【図６】
2014001626.tif 000008